(57)【要約】      （修正有）【課題】消火装置の容器に封板を溶接するとガス漏れは少ないが、開口面積が広いため板厚を大にする必要があるが、婦女子では消火装置の使用が困難になる。【解決手段】この消火器は容器1と開封装置2を備える。該容器は本体11、蓋リング12、封板13及びサイフォン管14を備える。該本体には消火剤と加圧ガスが充填される。該蓋リングはその透孔16が該封板で塞がれ、取付部17が突出し、該開口の縁部に溶着される。該サイフォン管の一端部は該取付部に密嵌し、他端部は該本体の底部に開口する。該開封装置はブロック体21、穿針22及び作動子23を備える。該ブロック体の軸孔24に、消火剤Lの送出口25が連通し、一面に該穿針が突出し他端部は該作動子と連動可能に該ブロック体外へ突出したラム26が、該封板に対する離反傾向を与えられて、摺嵌される。該開封装置が該容器に該蓋リングを覆って固着される。【選択図】図１
2011147527.tif 000002
【特許請求の範囲】
【請求項１】
容器(1)と、開封装置(2)を備え、
該容器(1)は本体(11)、蓋リング(12)、封板(13)及びサイフォン管(14)を備え、
該本体(11)はその開口(15)を通して消火剤(L)と加圧ガス(G)が充填され、
該蓋リング(12)は、その軸線(X)上の透孔(16)が該透孔(16)の口縁部(16a)と一体状となった該封板(13)により塞がれ、該軸線(X)上に自身の一面(12a)から突き出た取付部(17)を備え、該開口(15)の縁部(15a)に溶着(15c)され、
該サイフォン管(14)はその一端部(14a)が該取付部(17)に密接に嵌合し、他端部(14b)が該本体(11)の底面近傍に開口し、
該開封装置(2)はブロック体(21)、穿針(22)及び作動子(23)を備え、
該ブロック体(21)は軸孔(24)が貫通し、該軸孔(24)に消火剤( L)の送出口(25)が連通し、該軸孔(24)には自身の一端面から該穿針(22)が突出し他端部は該作動子(23)と連動可能に該ブロック体(21)外へ突出したラム(26)が、該穿針(22)を該封板(13)から離す方向への移動傾向を与えられて、摺動自在に挿入され、
該開封装置(2)が該容器(1)に該蓋リング(12)を覆って固着される
ことを特徴とする消火器。
【請求項２】
該封板(13)は該蓋リング(12)より薄くかつ軟質の材料で構成され、両者は接合面(19)で融着している請求項１に記載の消火器。
【請求項３】
該サイフォン管(14)の該一端部(14a)の外周面は該取付部(17)の内面に密接に嵌合し、該一端部(14a)の端面(14c)と該蓋リング(12)の該一面(12a)間に該封板(13)を支持している請求項１に記載の消火器。
【請求項４】
該サイフォン管(14)の該一端部(14a)の内周面は該取付部(17)の外面に密接に嵌合している請求項１又は２に記載の消火器。
【請求項５】
該加圧ガス(G)は窒素、窒素＋ヘリウム（５％）又は窒素＋アルゴンガス（５％）の内の一種類である請求項１〜４の一つの項に記載の消火器。
【請求項６】
該開封装置(2)の該ブロック体(21)は樹脂製となっている請求項１〜５の一つの項に記載の消火器。
【発明の詳細な説明】
【技術分野】
【０００１】
本発明は消火器、殊に容器に消火剤と加圧ガスを充填した畜圧式のものに関する。
【背景技術】
【０００２】
従来、畜圧式の消火装置で加圧ガスの漏れを防ぐため、封板を本体に溶接することによって開口を密閉し、長期間保管してもガス漏れを起こさせないようにすることと、消火剤の送出を環境温度の変化を利用して自動的に行うようにしたものが、本件出願人により出願されている（例えば、特開２００１−１９８２３３号公報）。
【先行技術文献】
【特許文献】
【０００３】
【特許文献１】特開２００１−１９８２３３号公報
【発明の概要】
【発明が解決しようとする課題】
【０００４】
特許文献１に記載の発明は、封板１５を本体１１に溶接しているので、ガス漏れの恐れは極めて少ないが、本体１１の開口面積は高圧ガスカートリッジのそれにくらべ、遥かに広く、封板１５にかかる圧力も大きくなる。この場合、封板の板厚を大にする必要があるが、あまり厚くすると、封板を穿孔する力も大きくなり、婦女子では消火器の使用が困難になってしまう。
また、開封器２のシリンダ２１は本体１１に封板１５を覆って着脱自在なので、改造や悪戯等によってシリンダ２１が本体１１から取り外されたりすると、緊急時に使用できなくなる恐れがある。
【０００５】
本発明はガス漏れを効果的に防ぐとともに、婦女子でも小さな力で封板を穿孔でき、しかも緊急の際に確実に使用可能な消火器を提供することを目的とする。
【課題を解決するための手段】
【０００６】
(請求項１) 本発明にかかる消火器は、容器と、開封装置を備えている。該容器は本体、蓋リング、封板及びサイフォン管を備えている。該本体はその開口を通して消火剤と加圧ガスが充填される。該蓋リングは、その軸線上の透孔が該透孔の口縁部と一体状となった該封板により塞がれ、該軸線上に自身の一面から突き出た取付部を備え、該開口の縁部に溶着されている。該サイフォン管はその一端部が該取付部に密接に嵌合し他端部が該本体の底面近傍に開口している。該開封装置はブロック体、穿針及び作動子を備えている。該ブロック体は軸孔が貫通し、該軸孔に消火剤の送出口が連通し、該軸孔には自身の一端面から該穿針が突出し他端部は該作動子と連動可能に該本体外へ突出したラムが、該穿針を該封板から離す方向への移動傾向を与えられて、摺動自在に挿入されている。そして、該開封装置が該容器に該蓋リングを覆って固着される。
【０００７】
容器は通常のように、アルミ、ステンレス、鉄又は樹脂等で構成される。そして、その開口を通して内部に粉末、アルカリ液、酢等の消火剤が入れられ、更にこの消火剤を容器外へ送り出すための窒素、窒素＋ヘリウムガス、窒素＋アルゴンガス等の加圧ガスが充填される。次に、欠酸素雰囲気中で容器の開口の縁部に、該開口と同心にかつ取付部を容器内へ向けて、蓋リングを溶接する。溶接にはプロジェクション方式やロウ付け方式等が採用される。
【０００８】
該容器の開口は、自身の軸線上の透孔が該透孔の口縁部と一体状となった該封板により塞がれた蓋リングをこの開口の縁部に溶着して、塞がれているので、ガス漏れが長期にわたって起こらず、現状の蓄圧式消火器はパッキンシール部があるためゲージ圧の日常的な点検による確認が欠かせないが、本発明ではパッキンシール部がなくゲージも不要なのでメンテナンスフリーとなり、容器と開封装置はそれぞれ別体に構成したものを結合するので、製作が容易である。  
【０００９】
（請求項２）該封板は該蓋リングより薄くかつ軟質の材料で構成され、両者は接合面で融着していてもよい。
こうすると、該封板の穿孔に大きな力は必要でなく婦女子でも容易に開封でき、該封板は該蓋リングとピンホール無しに一体化されるので、ガス漏れは生じない。
【００１０】
（請求項３）該サイフォン管の一端部の外周面は該取付部の内面に密接に嵌合し、該一端部と該蓋リングの該一面間に該封板を支持していてもよい。
こうすると、封板が確実に支持され、消火器が転倒したりして動揺しても、該封板がずれることがなく、ガス漏れ等の発生を防げる。
【００１１】
（請求項４）該サイフォン管の一端部の内周面は該取付部の外面に密接に嵌合していてもよい。
こうすると、加圧ガスがサイフォン管と取付部の間を通って漏れ出ることはなく、確実な消火剤放出を果たせる。
【００１２】
（請求項５）該加圧ガスは窒素、窒素＋ヘリウム（５％）又は窒素＋アルゴンガス（５％）の内の一種類であってもよい。
こうすると、何れも不活性ガスなので、容器の開口の縁部に蓋リングを溶接する作業を安全に行え、ガス漏れ検知も容易かつ確実に行った上で出荷することができるので、その後の業者や個人等によるメンテナンスが不要となる。
【００１３】
（請求項６）該開封装置の該ブロック体は樹脂製となっていてもよい。
こうすると、軽量となり、コストも低下でき、容器との溶着や接着も容易に行える。
【発明の効果】
【００１４】
本発明に係る消火器によれば、容器の開口は、自身の軸線上の透孔が該透孔の口縁部と一体状となった該封板により塞がれた蓋リングをこの開口の縁部に溶着して、塞がれているので、封板を厚くする必要がなく、従って、重量化を防げ、婦女子でも簡単に開封でき、ガス漏れが長期にわたって起こらず、容器と開封装置はそれぞれ別体に構成したものを結合するので、製作が容易である。
【００１５】
請求項２によれば、該封板の板圧を厚くする必要がないので、該蓋リングの重量化が防げ、該封板の穿孔に大きな力は必要でなく婦女子でも容易に開封でき、該封板は該蓋リングとピンホール無しに一体化されるので、ガス漏れは生じない。
【００１６】
請求項３によれば、該サイフォン管の一端部の外周面は該取付部の内面に密接に嵌合し、該一端部と該蓋リングの該一面間に該封板を支持しているので、消火器が転倒したりして動揺しても、該封板は確実に支持され、ガス漏れ等の発生を防げる。
【００１７】
請求項４によれば、該サイフォン管の一端部の内周面は該取付部の外面に密接に嵌合しているので、加圧ガスが該サイフォン管と該取付部の間を通って漏れ出ることはなく、確実な消火剤放出を果たせる。
【００１８】
請求項５によれば、該加圧ガスは窒素、窒素＋ヘリウム（５％）又は窒素＋アルゴンガス（５％）の内の一種類なので、ガス漏れ検知を容易かつ確実に行って出荷することができ、その後の業者や個人等によるメンテナンスが不要となる。
【００１９】
請求項６によれば、該開封装置の該ブロック体は樹脂製となっているので、軽量化を果たせ、コストも低下でき、容器と一体化するための溶着や接着も可能かつ容易に行える。
【図面の簡単な説明】
【００２０】
【図１】本発明にかかる消火器の具体例で、サイフォン管外嵌型を示す縦断面図である。
【図２】図１の容器と開封装置の結合部分の拡大図である。
【図３】図２と同様の拡大図で、サイフォン管内嵌型である。
【発明を実施するための形態】
【００２１】
以下に、本発明の実施の形態を、図面を参照して、説明する。
(請求項1) 図１は本発明にかかる消火器の縦断面図、図２は図１の容器１と開封装置２の結合部分の拡大図である。この消火器は、容器１と、開封装置２を備えている。
この容器１は本体１１、蓋リング１２、封板１３及びサイフォン管１４を備えている。本体１１はその開口１５を通して消火剤Ｌと加圧ガスＧが充填される。蓋リング１２は、その軸線Ｘ上の透孔１６がこの透孔１６の口縁部１６ａと一体状となった封板１３により塞がれる。蓋リング１２はまたこの軸線Ｘ上に自身の一面１２ａから突き出た取付部１７を備え、開口１５の縁部１５ａに溶着１５ｃされている。サイフォン管１４はその一端部１４ａが取付部１７に密接に嵌合し、他端部１４ｂが本体１１の底面近傍に開口している。
【００２２】
開封装置２はブロック体２１、穿針２２及び作動子２３を備えている。ブロック体２１は軸孔２４が貫通し、この軸孔２４に消火剤Ｌの送出口２５が連通し、軸孔２４には、自身の一端面から穿針２２が突出し他端部は作動子２３と連動可能にブロック体２１外へ突出したラム２６が、穿針２２を封板１３から離す方向への移動傾向を、バネ２７等で与えられて、摺動自在に挿入されている。
【００２３】
このバネ２７がコイルバネの場合は、軸孔２４に穿針２２を巡ってラム２６と封板１３間に装入される。作動子２３の揺動でラム２４がブロック体２１に押し込まれ、穿針２２が封板１３を突き破った場合、穿針２２が封板１３の切断面と圧接して両者間に流体の流出間隙が十分確保されない場合がある。バネ２７は穿針２２を封板１３から引き戻す力をラム２６に与える。
【００２４】
このバネ２７は、図１のように、棒バネとし、基部を作動子２３の枢軸Ｙに巻きかけ、各端を作動子２３とブロック体２１に係止するようにしてもよい。
この開封装置２が容器１に蓋リング１２を覆って固着され、消火器が構成される。この固着には、溶着３の他、蝋付け、鋲止め等、適宜の手法が採用される。
【００２５】
図３は請求項４に関連した構成で、サイフォン管１４の一端部１４ａの外周面は取付部１７の内面に密接に嵌合し、この一端部１４ａの端面１４ｃと蓋リング１２の一面１２ａ間に封板１３を支持している。蓋リング１２と封板１３の溶接はしなくてもよいが、溶着させれば、封止が一層確実となる。
【００２６】
この場合、封板１３が確実に支持され、消火器が転倒したりして動揺しても、封板１３がずれることがなく、ガス漏れ等の発生を防げる。
【００２７】
（請求項２）図２で、封板１３は蓋リング１２より薄くかつ軟質の材料で構成され、両者は接合面１９で融着している。
この場合、封板１３の板圧を厚くする必要がないので、蓋リング１２の重量化が防げ、封板１３の穿孔に大きな力は必要でなく婦女子でも容易に開封でき、封板１３は蓋リング１２とピンホール無しに一体化されるので、ガス漏れは生じない。
【００２８】
（請求項３）図３で、サイフォン管１４の一端部１４ａの外周面は取付部１７の内面に密接に嵌合し、この一端部１４ａの端面１４ｃと蓋リング１２の一面１２ａ間に封板１３を支持している。
この場合、封板１３が確実に支持され、消火器が転倒したりして動揺しても、封板１３がずれることがなく、ガス漏れ等の発生を防げる。
【００２９】
（請求項４）図２で、サイフォン管１４の一端部１４ａの内周面は取付部１７の外面に密接に嵌合している。
この場合、加圧ガスがサイフォン管１４と取付部１７の間を通って漏れ出ることはなく、確実な消火剤放出を果たせる。
【００３０】
（請求項５）図１及び２で、加圧ガスＧは窒素、窒素＋ヘリウム（５％）又は窒素＋アルゴンガス（５％）の内の一種類である。
この場合、何れも不活性ガスなので、容器１の開口１５の縁部１５ａに蓋リング１２を溶接する作業を安全に行え、ガス漏れの検査も容易かつ確実に行ってから出荷することが出来る為、その後の業者や個人によるメンテナンスが不要となる。
【００３１】
（請求項６）図１〜３で、開封装置２のブロック体２１は樹脂製となっている。
この場合、ブロック体２１は軽量となり、コストの低下も可能で、容器１との接着や溶着もできるので、両者の確実かつ長期的な一体化が果たせる。
【符号の説明】
【００３２】
１              容器
２              開封装置
１１            本体
１２            蓋リング
１２ａ          一面
１３            封板
１４            サイフォン管
１４ａ          一端部
１４ｂ          他端部
１４ｃ          端面
１５            開口
Ｌ              消火剤
Ｇ              加圧ガス
１６            透孔
１７            取付部
２１            ブロック体
２２            穿針
２３            作動子
２４            軸孔
２５            送出口
２６            ラム
２７            バネ
【図１】
2011147527.tif 000003
【図２】
2011147527.tif 000004
【図３】
2011147527.tif 000005